(57)【要約】【課題】非常時に、非常事態の地域に位置するユーザの位置情報と連携したコミュニケーションを図るサービスを提供する。【解決手段】携帯通信端末２は、端末の現在位置に応じた公開情報を地図上の対応する位置に表示させる。携帯通信端末２は、非常時モードに切り替わると、避難所毎に位置情報を記憶した記憶部２３を参照し、端末の現在位置に応じた避難所を示す情報を地図上の対応する位置に表示するとともに、公開情報を非表示にする。【選択図】図１
2018169687.tif 000002
【特許請求の範囲】
【請求項１】
端末の現在位置に応じた公開情報を地図上の対応する位置に表示させ、
非常時モードに切り替わると、避難所毎に位置情報を記憶した記憶部を参照し、前記端末の現在位置に応じた避難所を示す情報を地図上の対応する位置に表示するとともに、前記公開情報を非表示にする、
処理をコンピュータに実行させることを特徴とする処理プログラム。
【請求項２】
前記端末において新たな避難所の登録を受け付けると、前記端末の現在位置を前記新たな避難場所の位置情報として前記記憶部に記憶させる、
ことを特徴とする請求項１に記載の処理プログラム。
【請求項３】
前記記憶部に位置情報が記憶された避難場所のうち特定の避難場所に対応付けて、必要な物資の登録を受け付け、
受け付けた前記必要な物資の情報を、地図上の前記特定の避難場所を示す情報に関連付けて表示させる、
ことを特徴とする請求項１または請求項２に記載の処理プログラム。
【請求項４】
前記非常時モードへの切り替えは、非常時であることを示す通知を受信した際に実行される
ことを特徴とする請求項１から請求項３のいずれか１つに記載の処理プログラム。
【請求項５】
前記公開情報は、防災情報、イベント情報または所定機関との連携情報のうち少なくとも１つの情報を含む、
ことを特徴とする請求項１に記載の処理プログラム。
【請求項６】
端末の現在位置に応じた公開情報を地図上の対応する位置に表示させる第１の機能部と、
非常時モードに切り替わると、避難所毎に位置情報を記憶した記憶部を参照し、前記端末の現在位置に応じた避難所を示す情報を地図上の対応する位置に表示するとともに、前記公開情報を非表示にする第２の機能部と、
を有することを特徴とする処理装置。
【請求項７】
端末の現在位置に応じた公開情報を地図上の対応する位置に表示させ、
非常時モードに切り替わると、避難所毎に位置情報を記憶した記憶部を参照し、前記端末の現在位置に応じた避難所を示す情報を地図上の対応する位置に表示するとともに、前記公開情報を非表示にする、
処理をコンピュータが実行することを特徴とする処理方法。
【発明の詳細な説明】
【技術分野】
【０００１】
本発明は、処理プログラムなどに関する。
【背景技術】
【０００２】
非常時に、ユーザを目標の避難所まで誘導することを視覚的に支援する技術が開示されている（例えば、特許文献１参照）。かかる技術では、現在ユーザ位置を検索キーとしてメモリの検索を行い、複数の避難所から、予め設定された条件を満たすものを複数の候補避難所の複数の地図上位置と、現在ユーザ位置と、現在ユーザ方位角とに基づき、抽出された複数の候補避難所のそれぞれの地図上位置の、現在ユーザ位置に対する相対位置を計算する。そして、抽出された複数の候補避難所について計算されたそれぞれの相対位置において、現在ユーザ位置が、画面に設定された基準位置と一致し、かつ、向きが、画面に設定された基準線と一致するように表示する。
【０００３】
また、非常時に、無線基地局がユーザに有益な情報を配信する技術が開示されている（例えば、特許文献２参照）。かかる技術では、無線基地局が、災害に関する緊急警報情報を同報送信した後、コアネットワークを介した通信が不能であることを検知すると、災害モードであることを示す災害モード通知情報を同報送信するよう制御する。そして、無線基地局は、災害モードへの移行後に、端末の現在地の状況に関する災害関連情報を端末から受信すると、該受信した災害関連情報を同報送信するよう制御する。
【０００４】
ところで、近年、位置情報を活用したＳＮＳ（Social  Network  Service）（位置情報ＳＮＳ）が知られている。かかる位置情報ＳＮＳは、位置情報と連携したコミュニケーションを中心としたサービスであり、例えば、「Foursquare」や「Gowalla」が挙げられる。
【先行技術文献】
【特許文献】
【０００５】
【特許文献１】特開２０１５−５３０３１号公報
【特許文献２】特開２０１２−１５６７２５号公報
【発明の概要】
【発明が解決しようとする課題】
【０００６】
しかしながら、従来の位置情報ＳＮＳでは、災害時に、災害地域に位置するユーザの位置情報と連携したコミュニケーションを図るサービスがなかった。例えば、災害地域で、災害地域に位置するユーザが、災害地域における避難状況や必要な支援物資についてコミュニケーションを図るサービスがなかった。
【０００７】
１つの側面では、非常時に、非常地域に位置するユーザの位置情報と連携したサービスを提供することを目的とする。
【課題を解決するための手段】
【０００８】
１つの態様では、処理プログラムは、端末の現在位置に応じた公開情報を地図上の対応する位置に表示させ、非常時モードに切り替わると、避難所毎に位置情報を記憶した記憶部を参照し、前記端末の現在位置に応じた避難所を示す情報を地図上の対応する位置に表示するとともに、前記公開情報を非表示にする処理を、コンピュータに実行させる。
【発明の効果】
【０００９】
１つの態様によれば、処理プログラムは、非常時に、非常地域に位置するユーザの位置情報と連携したサービスを提供することができる。
【図面の簡単な説明】
【００１０】
【図１】図１は、実施例に係る携帯通信端末を含むネットワーキングサービスシステムの構成を示す機能ブロック図である。
【図２】図２は、実施例に係る通常モード機能の一例を示す図である。
【図３】図３は、実施例に係る災害モード機能の一例を示す図である。
【図４】図４は、実施例に係る災害モード機能の別の例を示す図である。
【図５】図５は、実施例に係る災害モード機能の別の例を示す図である。
【図６】図６は、実施例に係るモード切替の画面遷移の一例を示す図である。
【図７】図７は、指定外避難所のコミュニティを形成する際の画面遷移の一例を示す図である。
【図８】図８は、指定外避難所のコミュニティの一例を示す図である。
【図９】図９は、実施例に係るサーバの災害検知処理のフローチャートの一例を示す図である。
【図１０】図１０は、実施例に係る携帯通信端末のモード切替処理のフローチャートの一例を示す図である。
【図１１】図１１は、処理プログラムを実行するコンピュータの一例を示す図である。
【発明を実施するための形態】
【００１１】
以下に、本願の開示する処理プログラム、処理装置および処理方法の実施例を図面に基づいて詳細に説明する。なお、実施例によりこの発明が限定されるものではない。
【実施例】
【００１２】
［実施例に係るネットワーキングサービスシステムの構成］
図１は、実施例に係る携帯通信端末を含むネットワーキングサービスシステムの構成を示す機能ブロック図である。図１に示すネットワーキングサービスシステム９では、位置情報を活用したソーシャルネットワーキングサービス（ＳＮＳ）を提供する。ＳＮＳのアプリケーションは、非常時の際に、通常モードから非常時モードにモードを切り替え、通常モードで表示される情報を非表示にし、携帯通信端末の現在位置に応じた避難場所に関する情報を表示する。
【００１３】
図１に示すように、ネットワーキングサービスシステム９は、サーバ１と、複数の携帯通信端末２を有する。サーバ１は、複数の携帯通信端末２とネットワーク３により接続する。ネットワーク３は、インターネットを代表例とするが、インターネットを利用したイントラネットまたはエクストラネットであっても良いし、キャリア網であっても良いし、携帯網であっても良い。実施例では、ネットワーク３をインターネットとして説明する。なお、携帯通信端末２は、処理装置の一例である。
【００１４】
サーバ１は、位置情報を活用したＳＮＳについて予め定められた管轄のエリアを担当する。なお、サーバ１は、位置情報を活用したＳＮＳの利用を所望する携帯通信端末２の識別子のリストを予め記憶する。
【００１５】
サーバ１は、通信インタフェース部１１、制御部１２および記憶部１３を有する。
【００１６】
通信インタフェース部１１は、携帯通信端末２やネットワーキングサービスシステム９と異なる他のシステムとの無線通信を行うインタフェースである。例えば、通信インタフェース部１１は、災害警報システムから災害情報を受信する。なお、災害には、地震、火災、噴火などが挙げられるが、実施例では、地震を一例として説明する。
【００１７】
制御部１２は、ＣＰＵ（Central  Processing  Unit）などの電子回路に対応する。そして、制御部１２は、各種の処理手順を規定したプログラムや制御データを格納するための内部メモリを有し、これらによって種々の処理を実行する。制御部１２は、通常モード機能制御部１２１、災害検知部１２２および災害モード機能制御部１２３を有する。
【００１８】
記憶部１３は、例えば、ＲＡＭ（Random  Access  Memory）、フラッシュメモリ（Flash  Memory）などの半導体メモリ素子、または、ハードディスク、光ディスクなどの記憶装置である。記憶部１３は、避難所情報１３１および地図情報１３２を有する。避難所情報１３１は、予め指定された避難所や指定外の避難所の位置や場所などの避難所の情報を含む。地図情報１３２は、所定域の地図の情報を示し、建物や道路などの被害状況を含む。所定域は、全国の地域であっても良いし、ある特定の地域であっても良く、サーバ１が管轄する地域であっても良い。
【００１９】
通常モード機能制御部１２１は、ＳＮＳのアプリケーションにおけるモードが通常モードである場合に、通常モードの機能を制御する。例えば、通常モード機能制御部１２１は、モードが通常モードである場合には、位置情報を用いたＳＮＳの基盤（ユーザインタフェース）に基づいて、防災情報を発信したり、スーパーのタイムセールを発信したり、エリア限定のイベント情報を発信したりする。通常モード機能制御部１２１は、位置情報を用いたＳＮＳの基盤に基づいて、行政や公共機関と携帯通信端末２との連携を行なったりする。さらに、通常モード機能制御部１２１は、位置情報を用いたＳＮＳの基盤に基づいて、チャットや掲示板などのコミュニケーション情報を管理する。コミュニケーション情報には、発言に対する同意（例えば、「いいね」）の情報が含まれる。
【００２０】
災害検知部１２２は、災害を検知する。例えば、災害検知部１２２は、災害警報システムから通信インタフェース部１１を介して災害情報を受信する。そして、災害検知部１２２は、受信した災害情報に基づいて、緊急を要する災害であるか否かを判定する。緊急を要する災害とは、一例として、震度６以上の地震を想定するが、これに限定されず、人や建物などに被害が出る可能性がある災害を想定すれば良い。災害検知部１２２は、緊急を要する災害である場合に、緊急を要する災害が管轄するエリアで発生していれば、管轄するエリアに対して災害発生を示す情報を同報通信する。なお、災害には、地震、火災、噴火などが挙げられるが、以降では、地震を一例として説明する。また、災害発生を示す情報は、非常時であることを示す通知の一例である。
【００２１】
なお、災害検知部１２２は、災害を自動で検知すると説明したが、これに限定されず、災害を手動により検知する場合であっても良い。かかる場合には、災害検知部１２２は、災害情報を受け取り、受け取った災害情報に関して、緊急を要する災害であるか否かを判定する。そして、災害検知部１２２は、緊急を要する災害である場合に、緊急を要する災害が管轄するエリアで発生していれば、管轄するエリアに対して災害発生を示す情報を同報通信すれば良い。
【００２２】
災害モード機能制御部１２３は、ＳＮＳのアプリケーションにおけるモードが災害モードである場合に、災害モードの機能を制御する。例えば、災害モード機能制御部１２３は、記憶部１３に記憶された最新の避難所情報１３１および地図情報１３２を定期的または非定期的に管轄するエリアに対して同報配信する。そして、災害モード機能制御部１２３は、モードが災害モードである場合には、位置情報を用いたＳＮＳの基盤に基づいて、一例として、以下の処理を行う。災害モード機能制御部１２３は、携帯通信端末２に対して、地図情報１３２を表示させたり、指定された避難所の情報を地図情報１３２上の対応する位置に表示させたりする。災害モード機能制御部１２３は、携帯通信端末２のアクションに応じて、指定外の避難所をコミュニティとして形成させたりする。災害モード機能制御部１２３は、避難所単位で、携帯通信端末２により配信された必要な物資、支援物資を管理する。災害モード機能制御部１２３は、携帯通信端末２のアクションに応じて、避難所における避難状況を可視化させたり、避難所における必要な物資、支援物資を可視化させたりする。なお、災害モード機能制御部１２３における災害モード機能の制御で用いられるＳＮＳ基盤（ユーザインタフェース）は、通常モード機能制御部１２１における通常モード機能の制御で用いられるユーザインタフェースと変わりがない。
【００２３】
携帯通信端末２は、ＧＰＳ（Global  Positioning  System）機能が搭載された携帯電話機に対応するが、これに限定されず、ＰＤＡ（Personal  Digital  Assistants）、携帯可能なパーソナルコンピュータであっても良く、位置情報を活用したＳＮＳのアプリケーションを使用可能であり携帯可能な端末であれば良い。
【００２４】
携帯通信端末２は、通信インタフェース部２１、制御部２２、記憶部２３、入力部２４および出力部２５を有する。
【００２５】
通信インタフェース部２１は、無線通信を行うインタフェースである。例えば、通信インタフェース部２１は、サーバ１から災害発生を示す情報を受信する。また、通信インタフェース部２１は、サーバ１から避難所情報１３１および地図情報１３２を受信する。そして、通信インタフェース部２１は、受信した避難所情報１３１を記憶部２３の避難所情報２３１に更新する。通信インタフェース部２１は、受信した地図情報１３２を記憶部２３の地図情報２３２に更新する。
【００２６】
制御部２２は、ＣＰＵ（Central  Processing  Unit）などの電子回路に対応する。そして、制御部２２は、各種の処理手順を規定したプログラムや制御データを格納するための内部メモリを有し、これらによって種々の処理を実行する。制御部２２は、位置計測部２２１、通常モード機能部２２２、モード切替部２２３および災害モード機能部２２４を有する。なお、通常モード機能部２２２は、第１の機能部の一例である。災害モード機能部２２４は、第２の機能部の一例である。
【００２７】
記憶部２３は、例えば、ＲＡＭ（Random  Access  Memory）、フラッシュメモリ（Flash  Memory）などの半導体メモリ素子、または、ハードディスク、光ディスクなどの記憶装置である。記憶部２３は、避難所情報２３１および地図情報２３２を有する。避難所情報２３１は、サーバ１の避難所情報１３１に対応する。地図情報２３２は、サーバ１の地図情報１３２に対応する。
【００２８】
入力部２４は、ユーザからデータを入力する。入力部２４には、例えば、キーボード、マウスやタッチパネルなどが含まれる。
【００２９】
出力部２５は、データを出力する。出力部２５には、例えば、モニタが含まれる。
【００３０】
位置計測部２２１は、現在の位置を検出する。例えば、位置計測部２２１は、ＧＰＳ機能を用いて自己の現在の位置を計測する。一例として、位置計測部２２１は、通信インタフェース部２１を介して複数の人工衛星から受信した複数の電波を用いて自己の現在の位置を算出する。
【００３１】
通常モード機能部２２２は、ＳＮＳのアプリケーションにおけるモードが通常モードである場合に、通常モードの機能を実行する。例えば、通常モード機能部２２２は、モードが通常モードである場合には、位置情報を用いたＳＮＳの基盤に基づいて、防災情報を表示したり、スーパーのタイムセールの情報を表示したり、エリア限定のイベント情報を表示したりする。通常モード機能部２２２は、位置情報を用いたＳＮＳの基盤に基づいて、行政や公共機会と連携をとることもできる。さらに、通常モード機能部２２２は、位置情報を用いたＳＮＳの基盤に基づいて、チャットや掲示板などのコミュニケーション情報へアクセスすることができ、発言、参照および他の発言者の発言に対する同意（例えば、「いいね」）をすることができる。
【００３２】
モード切替部２２３は、ＳＮＳのアプリケーションにおけるモードを通常モードから災害モードに切り替える。例えば、モード切替部２２３は、災害発生を示す情報を受信すると、現在の位置が災害地区であるか否かを判定する。モード切替部２２３は、現在の位置が災害地区である場合には、ＳＮＳのアプリケーションにおけるモードを通常モードから災害モードに切り替える。
【００３３】
災害モード機能部２２４は、ＳＮＳのアプリケーションにおけるモードが災害モードである場合に、災害モードの機能を実行する。例えば、災害モード機能部２２４は、モードが災害モードである場合には、位置情報を用いたＳＮＳの基盤に基づいて、一例として、以下の処理を行う。災害モード機能部２２４は、サーバ１の指示により、地図情報２３２を表示したり、指定された避難所の情報を地図情報２３２の対応する位置に表示したりする。災害モード機能部２２４は、アクションに応じて、指定外の避難所をコミュニティとして形成し、指定外の避難所が形成されたことを配信する。災害モード機能部２２４は、特定の避難所に対する必要な物資、支援物資の入力を受け付けて、アクションに応じて配信する。災害モード機能部２２４は、アクションに応じて、避難状況を地図情報２３２の対応する位置に表示したり、必要な物資、支援物資を表示したりする。
【００３４】
［通常モード機能の一例］
図２は、実施例に係る通常モード機能の一例を示す図である。なお、図２では、モードが通常モードの場合とする。
【００３５】
図２に示すように、スーパーのタイムセールがある場合に、サーバ１では、通常モード機能制御部１２１が、そのスーパーの位置から所定範囲内に位置する携帯通信端末２に対してそのスーパーのタイムセールの情報を発信する。
【００３６】
スーパーの位置から所定範囲内に位置する携帯通信端末２では、通常モード機能部２２２が、位置情報を用いたＳＮＳの基盤に基づいて、スーパーのタイムセールの情報を取得し、取得した情報を表示する。ここでは、図２右図には、携帯通信端末２の出力部２５にタイムセールを行うスーパーの位置が地図情報２３２の対応する位置に表示されている。
【００３７】
そして、通常モード機能部２２２が、位置情報を用いたＳＮＳの基盤に基づいて、タイムセールに関して、ユーザとスーパーとの間のチャットでのコミュニケーションを実行する。ここでは、図２左図には、携帯通信端末２のユーザとスーパーとの間のチャットでのコミュニケーションが行われている。
【００３８】
［災害モード機能の一例］
図３は、実施例に係る災害モード機能の一例を示す図である。なお、図３では、モードが災害モードの場合である。
【００３９】
図３に示すように、災害モード機能制御部１２３は、位置情報を用いたＳＮＳ基盤を用いて、携帯通信端末２に対して、指定された避難所の情報を地図情報２３２の対応する位置に表示させる。
【００４０】
携帯通信端末２では、災害モード機能部２２４が、位置情報を用いたＳＮＳ基盤を用いて、指定された避難所の情報を地図情報２３２の対応する位置に表示する。ここでは、携帯通信端末２の出力部２５に、指定された避難所の名称、位置および避難状況が地図情報２３２の指定された避難所の位置の近傍に表示されている。例えば、避難所の名称として「Ｔ中央公園」、避難状況として「避難人数：１２名」が表示されている。
【００４１】
［災害モード機能の別の例］
図４は、実施例に係る災害モード機能の別の例を示す図である。なお、図４では、モードが災害モードの場合である。
【００４２】
図４に示すように、災害モード機能制御部１２３は、位置情報を用いたＳＮＳの基盤に基づいて、携帯通信端末２のアクションに応じて、指定外の避難所をコミュニティとして形成させる。
【００４３】
携帯通信端末２では、災害モード機能部２２４が、位置情報を用いたＳＮＳ基盤を用いて、アクションに応じて、指定外の避難所をコミュニティとして形成する。ここでは、図４左図には、メニューが表示されている。携帯通信端末２のユーザがメニューの中から「指定外避難所を形成」を選択する。すると、災害モード機能部２２４は、所定の画面遷移に応じて処理し、携帯通信端末２の現在位置を指定外の避難所の位置情報として避難上情報２３１に登録し、特定の指定外避難所を形成する。図４右図には、形成された特定の指定外避難所「公園駐車場第二」が表示されている。なお、携帯通信端末２は、携帯通信端末２の現在位置を指定外の避難所の位置情報として特定の指定外避難所を形成する場合を説明したが、これに限定されない。携帯通信端末２は、地図上で選択された位置情報を指定外の避難所の位置情報として特定の指定外避難所を形成しても良い。また、携帯通信端末２は、住所の直接入力された位置情報を指定外の避難所の位置情報として特定の指定外避難所を形成しても良い。
【００４４】
この後、災害モード機能部２２４が、位置情報を用いたＳＮＳ基盤を用いて、アクションに応じて、指定外の避難所が形成されたことを配信する。ここでは、携帯通信端末２のユーザがメニューの中から「メッセージ送信」を選択することで、特定の指定外の避難所「公園駐車場第二」が形成されたことが配信される。なお、指定外の避難所を形成する際の画面遷移は、後述するものとする。
【００４５】
［災害モード機能の別の例］
図５は、実施例に係る災害モード機能の別の例を示す図である。なお、図５では、モードが災害モードの場合である。
【００４６】
図５に示すように、携帯通信端末２では、災害モード機能部２２４は、位置情報を用いたＳＮＳの基盤に基づいて、特定の避難所に対する必要な物資、支援物資の入力を受け付ける。ここでは、特定の避難所「○○○公民館」に対する必要な物資、必要数および送付数が入力されている。必要数は、必要とされる数であり、送付数は、送付された数である。例えば、必要な物資が「水」である場合に、必要数として「４」が入力され、送付数として「２」が入力されている。必要な物資が「食料」である場合に、必要数として「５」が入力され、送付数として「１」が入力されている。
【００４７】
この後、携帯通信端末２のユーザが「更新」ボタンを押下すると、災害モード機能部２２４は、入力された必要な物資および必要数を受け付け、配信する。
【００４８】
サーバ１では、災害モード機能制御部１２３は、避難所単位で、携帯通信端末２により配信された必要な物資、支援物資を管理する。そして、災害モード機能制御部１２３は、管轄するエリアに位置する携帯通信端末２のアクションに応じて、必要な物資、支援物資を可視化させる。
【００４９】
これにより、携帯通信端末２は、位置情報を用いたＳＮＳを利用できれば、当該ＳＮＳを用いて、特定の避難所に対する必要な物資、支援物資を入力、編集することができるとともに、特定の避難所に対する必要な物資、支援物資を把握させることができる。例えば、携帯通信端末２は、特定の避難所に対する必要な物資、支援物資を行政公共機関に把握させることができる。この結果、行政公共機関は、特定の避難所に対する必要な物資、支援物資を把握することができ、管轄するエリアに位置する携帯通信端末２と連携することが可能となる。
【００５０】
［モード切替の画面遷移の一例］
図６は、実施例に係るモード切替の画面遷移の一例を示す図である。
【００５１】
図６左図に示すように、モードが通常モードの場合の携帯通信端末２が表わされている。ここでは、通常モード機能部２２２は、位置情報を用いたＳＮＳの基盤に基づいて、ＳＮＳにおけるタイムラインを表示している。
【００５２】
ここで、地震が発生したとする。すると、サーバ１では、災害検知部１２２が、災害警報システムから通信インタフェース部１１を介して地震災害情報を受信する。災害検知部１２２は、受信した地震災害情報に基づいて、緊急を要する地震災害である場合には、地震災害発生を示す情報を同報通信する。
【００５３】
図６中図に示すように、地震災害発生を示す情報を受信した携帯通信端末２では、モード切替部２２３は、出力部２５に受信した地震災害発生を示す情報を表示する。ここでは、「ご利用の地域で地震災害が発生しました。ｎｎｎｎアプリを災害モードに切り替えます。」というメッセージが表示されている。ここでいう「ｎｎｎｎアプリ」とは、位置情報を用いたＳＮＳのアプリケーションのことを意味する。
【００５４】
携帯通信端末２のユーザが「確認」ボタンを押下すると、モード切替部２２３は、現在の位置が地震災害地区であると判定し、ＳＮＳのアプリケーションにおけるモードを通常モードから災害モードに切り替える。すなわち、モード切替部２２３は、「ｎｎｎｎアプリ」におけるモードを通常モードから災害モードに切り替える。
【００５５】
図６右図に示すように、モードが災害モードの場合の携帯通信端末２が表わされている。ここでは、災害モード機能部２２４は、位置情報を用いたＳＮＳの基盤に基づいて、指定外の避難所などのコミュニティを形成（作成）することが可能なコミュニティ作成画面を表示している。かかるコミュニティ作成画面には、「新しいコミュニティを作成する」ボタンのほか、参加中の避難所のコミュニティや管理しているコミュニティの要約情報が表示されている。
【００５６】
［指定外避難所のコミュニティを形成する際の画面遷移の一例］
ここで、指定外の避難所を形成する際の画面遷移の一例を、図７を参照して説明する。図７は、指定外避難所のコミュニティを形成する際の画面遷移の一例を示す図である。なお、図７では、地図上で選択された位置情報を指定外避難所の位置情報とする場合の一例である。ここでは、例えば、図６右図の「新しいコミュニティを作成する」ボタンが押下されたとする。
【００５７】
図７に示すように、携帯通信端末２では、作成するコミュニティの種類を選択させる画面Ｇ１が表示されている。携帯通信端末２のユーザは、符号ａ１のリストボックスからコミュニティの種類を選択する。ここでは、避難所コミュニティが選択される。
【００５８】
画面Ｇ１の「次へ」が押下されると、携帯通信端末２は、次の画面Ｇ２に遷移する。避難所のコミュニティの名称を入力させる画面Ｇ２が表示されている。携帯通信端末２のユーザは、符号ａ２のテキストボックスに避難所コミュニティ名を入力する。一例として、避難所コミュニティの地名やビル名などが入力される。
【００５９】
画面Ｇ２の「次へ」が押下されると、携帯通信端末２は、次の画面Ｇ３に遷移する。避難所コミュニティの拠点となる場所を地図から選択させる画面Ｇ３が表示されている。携帯通信端末２の現在地は、符号ｂ０で示した位置である。一例として、符号ａ３で示すように、現在地から所定メートル以内の範囲が選択可能である。ここでは、符号ａ３で示す円の内側が、現在地ｂ０から選択可能な範囲である。携帯通信端末２のユーザは、避難所コミュニティの拠点となる場所を地図から選択したものとする。
【００６０】
画面Ｇ３の「次へ」が押下されると、携帯通信端末２は、次の画面Ｇ４に遷移する。避難所コミュニティの説明を入力させる画面Ｇ４が表示されている。携帯通信端末２のユーザは、符号ａ４のテキストボックスに避難所コミュニティの説明を入力することができる。なお、避難所コミュニティの説明は、省略されても良いし、後から入力しても良い。
【００６１】
画面Ｇ４の「次へ」が押下されると、携帯通信端末２は、次の画面Ｇ５に遷移する。避難所コミュニティが完了したことを示す画面Ｇ５が表示されている。ここでは、符号ａ５で示すように、避難所コミュニティ名として「○○ビル」、避難所コミュニティの説明として「Ｈ区Ｅ町〇町目○○ビルに避難している人のコミュニティです。約１４人・・・」が表示されている。
【００６２】
この後、携帯通信端末２では、災害モード機能部２２４が、位置情報を用いたＳＮＳ基盤を用いて、メニューの「メッセージ送信」に応じて、指定外の避難所コミュニティが形成されたことを配信する。
【００６３】
［指定外の避難所コミュニティの一例］
ここで、指定外の避難所コミュニティの一例を、図８を参照して説明する。図８は、指定外避難所のコミュニティの一例を示す図である。なお、指定外の避難所コミュニティが形成されたことを示すコミュニティ形成情報が配信されたものとする。
【００６４】
図８に示すように、指定外の避難所のコミュニティ形成情報を受信した携帯通信端末２では、画面Ｇ１０に「周辺地域に新しい避難所コミュニティが出来ました。」というメッセージが表示される。
【００６５】
画面Ｇ１０の「確認」が押下されると、携帯通信端末２は、次の画面Ｇ１１に遷移する。避難所コミュニティの画面Ｇ１１が表示されている。ここでは、図７で形成された指定外避難所である「○○ビル」の避難所コミュニティが表示されている。避難所コミュニティでは、「約１４人の避難者がいます。」という避難状況が表示されている。また、避難所コミュニティでは、避難所コミュニティの参加者「さしすせそ」による「必要な物資がある方はこちらに書き込みをお願いします。」という必要な物資を促すメッセージが表示されている。
【００６６】
これにより、携帯通信端末２は、位置情報を用いたＳＮＳの基盤に基づいて、指定外の避難所コミュニティを形成することで、当該ＳＮＳの利用を所望するユーザに参照させることができ、指定外の避難所コミュニティの位置を把握させることができる。
【００６７】
［サーバの災害検知処理のフローチャート］
図９は、実施例に係るサーバの災害検知処理のフローチャートの一例を示す図である。なお、緊急を要する災害を震度６以上の地震として説明する。
【００６８】
図９に示すように、通常モード機能制御部１２１は、通常モードの機能を制御する（ステップＳ１１）。そして、災害検知部１２２は、震度６以上の地震が発生したか否かを判定する（ステップＳ１２）。震度６以上の地震が発生していないと判定した場合には（ステップＳ１２；Ｎｏ）、災害検知部１２２は、震度６以上の地震が発生するまで、判定処理を繰り返すべく、ステップＳ１１に移行する。
【００６９】
一方、震度６以上の地震が発生したと判定した場合には（ステップＳ１２；Ｙｅｓ）、災害検知部１２２は、当該地震が発生したエリアが管轄エリア内であるか否かを判定する（ステップＳ１３）。当該地震が発生したエリアが管轄エリア内でないと判定した場合には（ステップＳ１３；Ｎｏ）、災害検知部１２２は、判定処理を繰り返すべく、ステップＳ１１に移行する。一方、当該地震が発生したエリアが管轄エリア内であると判定した場合には（ステップＳ１３；Ｙｅｓ）、災害検知部１２２は、管轄エリア内を災害地区に設定する（ステップＳ１４）。
【００７０】
そして、災害検知部１２２は、管轄エリア内のユーザに地震発生を通知する（ステップＳ１５）。そして、災害モード機能制御部１２３は、災害モードの機能を制御する（ステップＳ１６）。そして、災害検知部１２２は、災害検知処理を終了する。
【００７１】
［携帯通信端末のモード切替処理のフローチャート］
図１０は、実施例に係る携帯通信端末のモード切替処理のフローチャートの一例を示す図である。なお、ＳＮＳのアプリケーションにおけるモードは、通常モードであるとする。
【００７２】
図１０に示すように、通常モード機能部２２２は、ＳＮＳのアプリケーションにおけるモードは、通常モードである場合には、通常モードの機能を実行する（ステップＳ２１）。そして、モード切替部２２３は、地震発生の通知を受け取ったか否かを判定する（ステップＳ２２）。地震発生の通知を受け取っていないと判定した場合には（ステップＳ２２；Ｎｏ）、モード切替部２２３は、地震発生の通知を受け取るまで、判定処理を繰り返すべく、ステップＳ２１に移行する。
【００７３】
地震発生の通知を受け取ったと判定した場合には（ステップＳ２２；Ｙｅｓ）、モード切替部２２３は、現在の位置が災害地区であるか否かを判定する（ステップＳ２３）。現在の位置が災害地区でないと判定した場合には（ステップＳ２３；Ｎｏ）、モード切替部２２３は、現在の位置が災害地区となるまで、判定処理を繰り返すべく、ステップＳ２１に移行する。
【００７４】
一方、現在の位置が災害地区であると判定した場合には（ステップＳ２３；Ｙｅｓ）、モード切替部２２３は、通常モードから災害モードにモードを切り替える（ステップＳ２４）。そして、災害モード機能部２２４は、災害モードの機能を実行する（ステップＳ２５）。そして、モード切替部２２３は、モード切替処理を終了する。
【００７５】
［実施例の効果］
このようにして、上記実施例では、携帯通信端末２は、自己の現在位置に応じた公開情報を地図上の対応する位置に表示させる。携帯通信端末２は、非常時モードに切り替わると、避難所毎に位置情報を記憶した記憶部２３を参照し、自己の現在位置に応じた避難所を示す情報を地図上の対応する位置に表示するとともに、公開情報を非表示にする。かかる構成によれば、携帯通信端末２は、非常時に避難所を示す情報に表示が切り替わることで、非常時に、非常地域に位置するユーザの位置情報と連携したサービスを提供できる。
【００７６】
また、上記実施例では、携帯通信端末２は、携帯通信端末２において新たな避難所の登録を受け付けると、当該携帯通信端末２の現在位置を新たな避難場所の位置情報として他の携帯通信端末２の記憶部２３に記憶させる。かかる構成によれば、携帯通信端末２は、指定外の避難場所を形成することができ、形成した指定外の避難場所の位置情報を配信することで、他の携帯通信端末２のユーザに指定外の避難場所を把握させることができる。
【００７７】
また、上記実施例では、携帯通信端末２は、記憶部２３に位置情報が記憶された避難場所のうち特定の避難場所に対応付けて、必要な物資の登録を受け付け、受け付けた必要な物資の情報を、地図上の特定の避難場所を示す情報に関連付けて表示させる。かかる構成によれば、携帯通信端末２は、特定の避難場所に対応付けられた必要な物資の情報を配信することで、地図上の特定の避難場所を示す場所に関連付けて表示させることができる。この結果、携帯通信端末２は、他の携帯通信端末２のユーザに特定の避難場所に対応付けられた必要な物資を把握させることができる。
【００７８】
また、上記実施例では、携帯通信端末２は、非常時であることを示す通知を受信した際に、通常モードを非常時モードに切り替える。かかる構成によれば、携帯通信端末２は、非常時に、非常地域に位置するユーザの位置情報と連携したコミュニケーションを図るサービスを提供できる。
【００７９】
［その他］
なお、上記実施例では、携帯通信端末２が、自己の現在位置に応じた公開情報を地図上の対応する位置に表示させ、非常時モードに切り替わると、以下の処理を行う。携帯通信端末２は、避難所毎に位置情報を記録した記憶部２３を参照し、自己の現在位置に応じた避難所を示す情報を地図上の対応する位置に表示するとともに、公開情報を非表示にする処理を行う。しかしながら、この処理をサーバ１が行っても良い。すなわち、サーバ１が、携帯通信端末２から携帯通信端末２の現在位置を受信し、携帯通信端末２の現在位置に応じた公開情報を地図上の対応する位置に表示させ、非常時モードに切り替わると、以下の処理を行う。サーバ１は、避難所毎に位置情報を記録した記憶部１３を参照し、携帯通信端末２の現在位置に応じた避難所を示す情報を地図上の対応する位置に表示するとともに、公開情報を非表示にする処理を行う。サーバ１がこの処理を行う場合には、携帯通信端末２の制御部２２内の通常モード機能部２２２、モード切替部２２３および災害モード機能部２２４をサーバ１の制御部１２内に搭載すれば良い。
【００８０】
また、図示した装置の各構成要素は、必ずしも物理的に図示の如く構成されていることを要しない。すなわち、装置の分散・統合の具体的態様は図示のものに限られず、その全部または一部を、各種の負荷や使用状況等に応じて、任意の単位で機能的または物理的に分散・統合して構成することができる。例えば、位置計測部２２１を、制御部２２の外部のＧＰＳ制御部と制御部２２の内部の位置取得部に分離しても良い。通信インタフェース部２１を、ＧＰＳから電波を受信する通信インタフェース部と、ネットワーク３からデータを受信する通信インタフェース部とに分離しても良い。また、記憶部２３を携帯通信端末２の外部装置としてネットワーク経由で接続するようにしても良い。また、記憶部１３をサーバ１の外部装置としてネットワーク経由で接続するようにしても良い。
【００８１】
また、上記実施例で説明した各種の処理は、あらかじめ用意されたプログラムをパーソナルコンピュータやワークステーション等のコンピュータで実行することによって実現することができる。そこで、以下では、図１に示した携帯通信端末２と同様の機能を実現する処理プログラムを実行するコンピュータの一例を説明する。図１１は、処理プログラムを実行するコンピュータの一例を示す図である。
【００８２】
図１１に示すように、コンピュータ２００は、各種演算処理を実行するＣＰＵ２０３と、ユーザからのデータの入力を受け付ける入力装置２１５と、表示装置２０９を制御する表示制御部２０７とを有する。また、コンピュータ２００は、記憶媒体からプログラムなどを読取るドライブ装置２１３と、ネットワークを介して他のコンピュータとの間でデータの授受を行う通信制御部２１７とを有する。また、コンピュータ２００は、各種情報を一時記憶するメモリ２０１と、ＨＤＤ２０５とを有する。そして、メモリ２０１、ＣＰＵ２０３、ＨＤＤ（Hard  Disk  Drive）２０５、表示制御部２０７、ドライブ装置２１３、入力装置２１５、通信制御部２１７は、バス２１９で接続されている。
【００８３】
ドライブ装置２１３は、例えばリムーバブルディスク２１１用の装置である。
【００８４】
ＣＰＵ２０３は、処理プログラム２０５ａを読み出して、メモリ２０１に展開し、プロセスとして実行する。かかるプロセスは、携帯通信端末２の各機能部に対応する。処理関連情報２０５ｂは、携帯通信端末２では、避難所情報２３１および地図情報２３２に対応する。そして、例えばリムーバブルディスク２１１が、処理プログラム２０５ａなどの各情報を記憶する。
【００８５】
なお、処理プログラム２０５ａについては、必ずしも最初からＨＤＤ２０５に記憶させておかなくても良い。例えば、コンピュータ２００に挿入されるフレキシブルディスク（ＦＤ）、ＣＤ−ＲＯＭ、ＤＶＤディスク、光磁気ディスク、ＩＣカード等の「可搬用の物理媒体」に当該プログラムを記憶させておく。そして、コンピュータ２００がこれらから処理プログラム２０５ａを読み出して実行するようにしても良い。
【符号の説明】
【００８６】
１  サーバ
１１  通信インタフェース部
１２  制御部
１２１  通常モード機能制御部
１２２  災害検知部
１２３  災害モード機能制御部
１３  記憶部
１３１  避難所情報
１３２  地図情報
２  携帯通信端末
２１  通信インタフェース部
２２  制御部
２２１  位置計測部
２２２  通常モード機能部
２２３  モード切替部
２２４  災害モード機能部
２３  記憶部
２３１  避難所情報
２３２  地図情報
【図１】
2018169687.tif 000003
【図２】
2018169687.tif 000004
【図３】
2018169687.tif 000005
【図４】
2018169687.tif 000006
【図５】
2018169687.tif 000007
【図６】
2018169687.tif 000008
【図７】
2018169687.tif 000009
【図８】
2018169687.tif 000010
【図９】
2018169687.tif 000011
【図１０】
2018169687.tif 000012
【図１１】
2018169687.tif 000013